(57)【要約】      （修正有）【課題】スイッチ端子セットの各端子間に傾斜式接触が採用され、これによりスイッチ端子セットの各端子間に良好な接触が保持されるオーディオジャックコネクタを提供する。【解決手段】オーディオジャックコネクタは、絶縁本体１、該絶縁本体内にそれぞれ設置された複数の信号端子５、第１機能端子４１、絶縁ブロック４４及び第１スイッチ端子セットを包含する。該第１機能端子は弾性アーム部を有し、弾性アーム部の末端に該絶縁ブロックが固定される。第１スイッチ端子セットは接触端子４２、第１固定端子４３及び第２固定端子４６を包含し、該接触端子は第２保持部と該第２保持部より延伸された二つの接触部を包含し、該第２保持部は該絶縁ブロックに固定され且つ該第１機能端子と相互に不接触とされる。第１固定端子、第２固定端子はそれぞれ該接触端子の接触部と傾斜状に対向し並びに互いに接触する第１接触片と第３接触片を包含する。【選択図】図１
0003157932.tif 000002
【実用新案登録請求の範囲】
【請求項１】
オーディオジャックコネクタにおいて、
収容空間と該収容空間に連通する複数の挿入溝が設けられた絶縁本体と、
該挿入溝内に保持された複数の信号端子と、
第１機能端子であって、第１保持部と該第１保持部の一側エッジより折り曲げられ延伸された第１弾性アーム部を包含し、該第１弾性アーム部に第１圧接部が設けられた、上記第１機能端子と、
該第１弾性アーム部の末端に固定された絶縁ブロックと、
第１スイッチ端子セットであって、該絶縁本体内に設置され、接触端子、第１固定端子及び第２固定端子を包含し、該接触端子は第２保持部とそれぞれ該第２保持部の一端より外向きに延伸され並びに一側に向けて傾斜する二つの接触部を具え、該接触端子の第２保持部は該絶縁ブロックに固定され、且つ該接触端子は第１機能端子と相互に不接触とされ、該第１固定端子は第３保持部及び該第３保持部の一側より傾斜するよう延伸された第１接触片を包含し、該第１接触片と該接触部の傾斜方向は対応し、並びに相互に接触可能で、該第２固定端子は第５保持部と該第５保持部の一側より傾斜するよう延伸された第３接触片を包含し、該第３接触片ともう一つの接触部の傾斜方向が対応し並びに相互に接触可能である、上記第１スイッチ端子セットと、
を包含したことを特徴とする、オーディオジャックコネクタ。
【請求項２】
請求項１記載のオーディオジャックコネクタにおいて、該第１固定端子の第３保持部の一側より、該第１接触片に対応する第２接触片が傾斜するよう延伸され、該オーディオジャックコネクタは更に第２機能端子、第３固定端子及び別の接触端子を包含し、該第２機能端子は第４保持部と該第４保持部の一側エッジより折り曲げられ延伸された第２弾性アーム部を包含し、該第２弾性アーム部に第２圧接部が設けられ、該第３固定端子は第６保持部と該第６保持部の一側より傾斜延伸された第４接触片を包含し、該第４接触片と該別の接触端子の接触部の傾斜方向が対応し並びに相互に接触可能で、該第２機能端子の該別の接触端子は別の絶縁ブロックと一体に結合され且つ相互に不接触とされ、該第３固定端子と該もう一つの接触端子により第２スイッチ端子セットを構成したことを特徴とする、オーディオジャックコネクタ。
【請求項３】
請求項１記載のオーディオジャックコネクタにおいて、該信号端子が主体部を具え、該主体部の一端が折り曲げられ延伸されて第４ソルダー部が形成され、該主体部の一側エッジが折り曲げられ延伸されて接触端が形成され、該接触端に第２接触凸部が凸設され、該主体部に二つの第６係止部が設けられたことを特徴とする、オーディオジャックコネクタ。
【請求項４】
請求項２記載のオーディオジャックコネクタにおいて、該第１保持部の両端が折り曲げられて二つの第１係止部が形成され、該第３保持部の一側エッジが折り曲げられ延伸されて第２係止部が形成され、第４保持部の両端が折り曲げられ延伸されて第３係止部が形成され、第３接触片の一側エッジが折り曲げられ延伸されて第４係止部が形成され、第６保持部の一側エッジが延伸されて第５係止部が形成されたことを特徴とする、オーディオジャックコネクタ。
【請求項５】
請求項１記載のオーディオジャックコネクタにおいて、該接触端子の接触部に第１接触凸部が凸設されたことを特徴とする、オーディオジャックコネクタ。
【請求項６】
請求項２記載のオーディオジャックコネクタにおいて、該第１固定端子、第２固定端子、及び第３固定端子にそれぞれ第１ソルダー部、第２ソルダー部、及び第３ソルダー部が設けられたことを特徴とする、オーディオジャックコネクタ。
【請求項７】
請求項１記載のオーディオジャックコネクタにおいて、該絶縁本体がケースで被覆され、該ケースの外部が更にシールドカバーで被覆されたことを特徴とする、オーディオジャックコネクタ。
【考案の詳細な説明】
【技術分野】
【０００１】
本考案は一種のコネクタに係り、特に一種のオーディオジャックコネクタに関する。
【背景技術】
【０００２】
図１１から図１４を参照されたい。一種の周知のオーディオジャックコネクタ１００’は、絶縁本体１’、シールドカバー２’、及びスイッチ端子セットを包含する。スイッチ端子セットは連接端子３’、二つの接触端子４’及び二つの絶縁ブロック５’で構成される。連接端子３’は第１主体部３１’、第１主体部３１’の両端の一側より上向きに延伸形成された二つの第１連接部３３’、第１主体部３１’の両端の別側より下向きに延伸形成された二つの第１ソルダー部３５’、第１主体部３１’に設けられた二つの第１係止部３２’、第１連接部３３’の一端のエッジより一側に向けて延伸された接触部３４’を具えている。接触端子４’は第２主体部４１’、第２主体部４１’に凸設された第２係止部４４’、第２主体部４１’の一端の一側のエッジより下向きに延伸された第２ソルダー部４５’、第２主体部４１’の別端の一側のエッジより一側に向けて折り曲げられ延伸された弾性アーム部４２’、弾性アーム部４２’の末端より一側に向けて延伸された接触端４３’を具え、そのうち、二つの絶縁ブロック５’はそれぞれ二つの弾性アーム部４２’に保持される。そのうち、第１係止部３２’、第２係止部４４’はそれぞれ絶縁本体１’に保持収容され、第１ソルダー部３５’及び第２ソルダー部４５’は回路板（図示せず）にはんだ付けされ、シールドカバー２’は絶縁本体１’外部を被覆する。
【０００３】
ただし、図１１及び図１４を参照されたいが、オーディオプラグクコネクタ７’がこのオーディオジャックコネクタ１００’に挿入される時、外向きに絶縁ブロック５’を押して接触部３４’及び接触端４３’を分離させ、この過程において絶縁ブロック５’が直接オーディオプラグコネクタ７’と接触し、プラスチック屑を削りだしやすく、且つ接触部３４’と接触端４３’の接触時にはただまっすぐに接触させることに依存し摩擦行程がなく、接触部３４’と接触端４３’の間に異物が発生すれば、端子は導通不能で、これによりオーディオジャックコネクタ１００’の使用性能に影響が生じた。
【考案の概要】
【考案が解決しようとする課題】
【０００４】
本考案の主要な目的は上述の周知の技術に存在する欠点に対して一種のスイッチ端子セットの各端子の接触が良好であるオーディオジャックコネクタを提供することにある。
【課題を解決するための手段】
【０００５】
上述の目的を実現するため、本考案のオーディオジャックコネクタは、絶縁本体、該絶縁本体内にそれぞれ設置された複数の信号端子、第１機能端子、絶縁ブロック及び第１スイッチ端子セットを包含する。該絶縁本体には収容空間と該収容空間に連通する複数の挿入溝が設けられている。複数の信号端子は該挿入溝内に保持される。該第１機能端子は第１保持部と該第１保持部の一側のエッジより折り曲げられ延伸された第１弾性アーム部を包含し、該第１弾性アーム部に第１圧接部が設けられ、該第１弾性アーム部の末端に該絶縁ブロックが固定される。第１スイッチ端子セットは接触端子、第１固定端子及び第２固定端子を包含し、該接触端子は第２保持部と該第２保持部の一端より外向きに延伸され並びに一側に向けて傾斜する二つの接触部を具え、該接触端子の第２保持部は該絶縁ブロックに固定され、且つ該接触端子は第１機能端子と相互に不接触とされ、該第１固定端子は第３保持部及び該第３保持部の一側より傾斜するよう延伸された第１接触片を包含し、該第１接触片と該接触部の傾斜方向は対応し、並びに相互に接触する。該第２固定端子は第５保持部と該第５保持部の一側より傾斜するよう延伸された第３接触片を包含し、該第３接触片ともう一つの接触部の傾斜方向が対応し並びに相互に接触可能である。
【考案の効果】
【０００６】
以上述べたことから、本考案のオーディオジャックコネクタは、絶縁ブロックにより第１機能端子と接触端子が一体に連接されて且つ相互に不接触とされ、構造が簡易化され、空間を節約し、且つ接触端子と第１固定端子、第２固定端子の間に傾斜式接触が採用されて、これにより接触過程中に一定の摩擦行程が発生し、細小な異物が接触点間にひっかかり短絡現象を発生するのを防止し、これによりオーディオジャックコネクタ内のスイッチ端子セットの各端子に良好な接触を保持させられる。
【図面の簡単な説明】
【０００７】
【図１】本考案のオーディオジャックコネクタの一部破断した立体図である。
【図２】図１中の絶縁本体の別角度から見た立体図である。
【図３】図１中の第１機能端子の別角度から見た立体図である。
【図４】図１中の接触端子の別角度から見た立体図である。
【図５】図１中の第１固定端子の別角度から見た立体図である。
【図６】図１中の第２機能端子の別角度から見た立体図である。
【図７】図１中の第２固定端子の別角度から見た立体図である。
【図８】図１中の第３固定端子の別角度から見た立体図である。
【図９】図１中の信号端子の別角度から見た立体図である。
【図１０】図１中のスイッチ端子機構とオーディオプラグコネクタの組み合わせの立体図である。
【図１１】周知のオーディオジャックコネクタの一部破断した立体図である。
【図１２】図１１中の連接端子の別角度から見た立体図である。
【図１３】図１１中の接触端子の別角度から見た立体図である。
【図１４】図１１中のスイッチ端子機構とオーディオプラグコネクタの組み合わせの立体図である。
【考案を実施するための形態】
【０００８】
本考案の技術内容、構造特徴、その実現する目的と効果は、以下に実施方式と結合され並びに図面を組み合わせて詳細に説明される。
【０００９】
図１を参照されたい。本考案のオーディオジャックコネクタ１００は絶縁本体１、ケース２、シールドカバー３、第１機能端子４１、第２機能端子４５、二つの絶縁ブロック４４、第１スイッチ端子セット、第２スイッチ端子セット及び複数の信号端子５を包含する。
【００１０】
図２を参照されたい。絶縁本体１は略長方形のブロック状構造とされ、それに収容空間１１と、該収容空間１１と連通する複数の挿入溝１２とが設けられている。
【００１１】
図１及び図３に示されるように、第１機能端子４１はストリップ状の第１保持部４１１、該第１保持部４１１の一側のエッジより上向きに折れ曲がり延伸された第１弾性アーム部４１２、該第１弾性アーム部４１２が折り曲げられて形成された第１圧接部４１３を具えている。該第１保持部４１１の両端に下向きに折り曲げられ延伸された二つの第１係止部４１４が形成され、該第１弾性アーム部４１２の末端に絶縁ブロック４４が固定されている。
【００１２】
図１及び図４を参照されたい。第１スイッチ端子セットは接触端子４２、第１固定端子４３及び第２固定端子４６を包含する。接触端子４２は第２保持部４２１と該第２保持部４２１の一端より外向きに延伸され並びに一側に向けて傾斜するよう形成された二つの接触部４２２を具えている。接触部４２２には第１接触凸部４２３が凸設され、接触端子４２の第２保持部４２１は絶縁ブロック４４に固定され、これにより第１機能端子４１及び上方に位置する接触端子４２が一体に且つ相互に不接触に固定される。
【００１３】
図５及び図７を参照されたい。第１固定端子４３は第３保持部４３１を包含し、該第３保持部４３１の上側エッジに上向き並びに右向きに傾斜するよう延伸された第１接触片４３２が形成され、下側のエッジに下向き並びに右向きに傾斜するよう延伸され第１接触片４３２に対応する第２接触片４３３が形成され、第１接触片４３２と接触端子４２の一つの接触部４２２の傾斜方向が対応し並びに相互に接触する。第３保持部４３１の下側エッジが下向き並びに右向きに傾斜するよう延伸されて第２接触片４３３が形成され、第３保持部４３１の前側エッジ部分が折り曲げられ延伸されて第２係止部４３４が形成され、第３保持部４３１に第１ソルダー部４３５が設けられている。第２固定端子４６は第５保持部４６１と該第５保持部４６１の上側エッジより傾斜するよう延伸された第３接触片４６２を包含し、第３接触片４６２と接触端子４２のもう一つの接触部４２２の傾斜方向は相互に対応し並びに相互に接触し、第３接触片４６２の一側エッジに折り曲げられ延伸された第４係止部４６３が形成され、第２固定端子４６に第２ソルダー部４６４が設けられている。接触端子４２の二つの第１接触凸部４２３はそれぞれ第１接触片４３２と第３接触片４６２に接触する。
【００１４】
図１及び図６に示されるように、第２機能端子４５は第４保持部４５１を、該第４保持部４５１の前側エッジより前向きに折り曲げられ延伸された第２弾性アーム部４５２を包含し、該第２弾性アーム部４５２が折り曲げられて第１圧接部４１３に方向が対応する第２圧接部４５３が形成され、該第４保持部４５１の両端が上向きに折り曲げられ延伸されて二つの第３係止部４５４が形成され、第２弾性アーム部４５２の末端に別の絶縁ブロック４４が固定され、もう一つの接触端子４２の第２保持部４２１もまたこの絶縁ブロック４４に固定され、これにより、第２機能端子４５及び下方に位置するもう一つの接触端子４２が一体に固定され且つ相互に不接触とされる。
【００１５】
図１及び図８を参照されたい。第２スイッチ端子セットはもう一つの接触端子４２及び第３固定端子４７を包含する。第３固定端子４７は第６保持部４７１を具え、該第６保持部４７１の上側エッジより左向き並びに下向きに傾斜するよう第４接触片４７２が延伸形成され、該第４接触片４７２と別の接触端子４２の一つの接触部４２２の傾斜方向は相互に対応し並びに相互に接触可能で、第６保持部４７１の前側エッジに折り曲げられ延伸された第５係止部４７３が形成され、第６保持部４７１に第３ソルダー部４７４が設けられている。別の接触端子４２の二つの第１接触凸部４２３はそれぞれ第１接触片４３２及び第４接触片４７２と接触する。
【００１６】
図１及び図９を参照されたい。信号端子５は主体部５１を包含し、該主体部５１の一端より折れ曲がるよう延伸された第４ソルダー部５４が形成され、主体部５１の一側エッジが折り曲げられ延伸されて接触端５２が形成され、接触端５２に第２接触凸部５２１が凸設され、主体部５１に二つの第６係止部５３が設けられている。
【００１７】
第１係止部４１４、第２係止部４３４、第３係止部４５４、第４係止部４６３、第５係止部４７３、及び第６係止部５３はそれぞれ絶縁本体１の挿入溝１２内に嵌め込まれる。第１ソルダー部４３５、第２ソルダー部４６４、第３ソルダー部４７４及び第４ソルダー部５４は回路板（図示せず）へのはんだ付けに使用される。絶縁本体１はケース２に被覆され、ケース２外部はさらにシールドカバー３に被覆される。
【００１８】
図１及び図１０を参照されたい。オーディオプラグコネクタ６を挿入する前に、接触端子４２の二つの第１接触凸部４２３はそれぞれ第１接触片４３２と第３接触片４６２に接触し、もう一つの接触端子４２の二つの第１接触凸部４２３はそれぞれ第２接触片４３３と第４接触片４７２に接触する。オーディオプラグコネクタ６を挿入する時、第１機能端子４１の第１圧接部４１３はオーディオプラグコネクタ６の圧接を受けてそれと一体に結合された接触端子４２を駆動して上向きに移動させ、これにより接触端子４２の二つの第１接触凸部４２３と第１接触片４３２及び第３接触片４６２が互いに分離し、続けて前向きにオーディオプラグコネクタ６を挿入するとき、第２機能端子４５の第２圧接部４５３がオーディオプラグコネクタ６の圧接をうけてそれに結合されたもう一つの接触端子４２を駆動して下向きに移動させ、これによりもう一つの接触端子４２の二つの第１接触凸部４２３を第２接触片４３３と第４接触片４７２と相互に分離させる。オーディオプラグコネクタ６を抜き取ったとき、第１機能端子４１と第２機能端子４５自身の回復力の駆動により、二つの接触端子４２がもとの状態に回復し、これにより第１スイッチ端子セットと第２スイッチ端子セットの検出機能が実現する。本考案のオーディオジャックコネクタ１００の第２スイッチ端子セットは必ずしも必要な装置ではなく、実際の必要に応じて設けられる。
【００１９】
総合すると、本考案のオーディオジャックコネクタ１００は絶縁ブロック４４により第１機能端子４１及び接触端子４２を一体に固定し且つ相互に不接触とし、構造を簡易化し、空間を節約し、且つ接触端子４２と第１固定端子４３、第２固定端子４６の間に傾斜式接触を採用し、これにより、接触過程中に一定の摩擦行程を発生し、細小の異物が接触点間にひっかかることによる短絡の現象を防止し、オーディオジャックコネクタ１００内のスイッチ端子セットの各端子に良好な接触を保持させる。
【符号の説明】
【００２０】
１００  オーディオジャックコネクタ              １  絶縁本体
１１  収容空間                                  １２  挿入溝
２  ケース                                      ３  シールドカバー
４１  第１機能端子                              ４１１  第１保持部
４１２  第１弾性アーム部                        ４１３  第１圧接部
４１４  第１係止部                              ４２  接触端子
４２１  第２保持部                              ４２２  接触部
４２３  第１接触凸部                            ４３  第１固定端子
４３１  第３保持部                              ４３２  第１接触片
４３３  第２接触片                              ４３４  第２係止部
４３５  第１ソルダー部                          ４４  絶縁ブロック
４５  第２機能端子                              ４５１  第４保持部
４５２  第２弾性アーム部                        ４５３  第２圧接部
４５４  第３係止部                              ４６  第２固定端子
４６１  第５保持部                              ４６２  第３接触片
４６３  第４係止部                              ４６４  第２ソルダー部
４７  第３固定端子                              ４７１  第６保持部
４７２  第４接触片                              ４７３  第５係止部
４７４  第３ソルダー部                          ５  信号端子
５１  主体部                                    ５２  接触端
５２１  第２接触凸部                            ５３  第６係止部
５４  第４ソルダー部                            ６  オーディオプラグコネクタ
【図１】
0003157932.tif 000003
【図２】
0003157932.tif 000004
【図３】
0003157932.tif 000005
【図４】
0003157932.tif 000006
【図５】
0003157932.tif 000007
【図６】
0003157932.tif 000008
【図７】
0003157932.tif 000009
【図８】
0003157932.tif 000010
【図９】
0003157932.tif 000011
【図１０】
0003157932.tif 000012
【図１１】
0003157932.tif 000013
【図１２】
0003157932.tif 000014
【図１３】
0003157932.tif 000015
【図１４】
0003157932.tif 000016